(57)【特許請求の範囲】
【請求項１】
ドアサッシュとドアパネルを有する車両ドア；
上記ドアサッシュに、前後縁部の少なくとも一方を昇降可能にガイドされた窓ガラス；
上記ドアパネル内に、上下方向に向けて配置したガイドレール；
このガイドレールに昇降自在に支持され、上記窓ガラスに結合されるスライダ；及び
上記スライダをガイドレールに沿って昇降駆動する駆動機構；
を有する車両の窓ガラス昇降装置において、
互いに係合関係にある上記ガイドレールのスライダガイド部と、該スライダガイド部を車幅方向で挟み込む上記スライダとの車幅方向のクリアランスを、該スライダの上死点近傍と下死点近傍の少なくとも一方において小さく設定し、中間部分で大きく設定したことを特徴とする車両の窓ガラス昇降装置。
【請求項２】
請求項１記載の車両の窓ガラス昇降装置において、上記クリアランスが小さい部分と大きい部分の間には、クリアランス徐変部が介在している車両の窓ガラス昇降装置。 
【請求項３】
請求項１記載の車両の窓ガラス昇降装置において、上記スライダのガイドレールのスライダガイド部との摺動面は、上下端部の該スライダガイド部とのクリアランスが中央部の同クリアランスより大きい中高形状をなしている車両の窓ガラス昇降装置。 
【請求項４】
請求項１ないし３のいずれか１項記載の車両の窓ガラス昇降装置において、上記ガイドレールは、樹脂材料の成形品からなる車両の窓ガラス昇降装置。
【請求項５】
車両ドアに、前後縁部の少なくとも一方を昇降可能にガイドされた窓ガラス；  
上記車両ドア内に、上下方向に向けて配置したガイドレール；  
上記窓ガラスと一緒に昇降するスライダ；及び  
上記スライダをガイドレールに沿って昇降駆動する駆動機構；  
を有する車両の窓ガラス昇降装置において、  
上記ガイドレールに、車幅方向の内外を一対のガイド面とするスライダガイド部が形成されていること、
上記スライダに、上記ガイドレールの一対のガイド面に対向する一対の摺動面を有するガイド部が形成されていること、及び
上記スライダガイド部の一対のガイド面と、上記スライダのガイド部の一対の摺動面との間の車幅方向のクリアランスを、該スライダの上死点近傍と下死点近傍の少なくとも一方において小さく設定し、中間部分で大きく設定したことを特徴とする車両の窓ガラス昇降装置。
【発明の詳細な説明】
【技術分野】
【０００１】
本発明は、車両の窓ガラス昇降装置に関する。
【背景技術】
【０００２】
車両の窓ガラス昇降装置は、ドアサッシュに昇降自在にガイドされた窓ガラスをウィンドレギュレータを介して昇降させている。ウィンドレギュレータとしては、車両ドア内に上下方向に向けて配設したガイドレールに、スライダを摺動自在に支持し、このスライダに窓ガラスを固定する一方、同スライダをワイヤ駆動機構を介して昇降させるワイヤ式ウィンドレギュレータが知られている。
【先行技術文献】
【特許文献】
【０００３】
【特許文献１】特開平７-２０８０２１号公報
【発明の概要】
【発明が解決しようとする課題】
【０００４】
ガイドレールと、該ガイドレールに摺動自在に嵌めたスライダのと間の車幅方向のクリアランス（遊び）は従来、窓ガラスの昇降位置に拘わらず変化しないように、該ガイドレールの全長に渡って一定に設定されてきた。これは、ガイドレールの全長に渡り摩擦抵抗が変化しないこと、つまり一定の大きい摩擦抵抗（摺動抵抗）が発生することを意味する。
【０００５】
また、車両の窓ガラスの曲率は、車種毎に異なり、ワイヤ式ウィンドレギュレータのガイドレールは、従来、窓ガラスの曲率に合わせて異なる曲率のものが用意されていた。つまり、複数車種へのガイドレールの共用化は困難であるのが実情であった。
【０００６】
本発明は、ドアサッシュに昇降自在にガイドされた窓ガラスをワイヤ式ウィンドレギュレータを介して昇降させる車両の窓ガラス昇降装置において、ワイヤ式ウィンドレギュレータのガイドレールとスライダとの摺動抵抗を減ずることができる窓ガラス昇降装置を得ることを目的とする。
【０００７】
また、本発明は、異なる車種（異なる曲率の窓ガラス）であっても、一定範囲でガイドレールを共用化することが可能な窓ガラス昇降装置を得ることを目的とする。
【課題を解決するための手段】
【０００８】
本発明者らは、窓ガラスはワイヤ式ウィンドレギュレータのガイドレールとスライダだけで案内されているわけではなく、その前後端縁の少なくとも一方をドアサッシュによって案内されているという事実に着目した。また、窓ガラスの車幅方向の位置を厳しく制御する必要があるのは、窓ガラスの上死点（上昇端）近傍と下死点（下降端）近傍である。
【０００９】
本発明は、以上の事実及び認識に基づき、ドアフレームとドアパネルを有する車両ドア；ドアフレームに、前後縁部の少なくとも一方を昇降可能にガイドされた窓ガラス；ドアパネル内に、上下方向に向けて配置したガイドレール；このガイドレールに昇降自在に支持され、上記窓ガラスに結合されるスライダ；及びスライダをガイドレールに沿って昇降駆動する駆動機構；を有する車両の窓ガラス昇降装置において、互いに係合関係にある上記ガイドレールのスライダガイド部と、該スライダガイド部を車幅方向で挟み込む上記スライダの車幅方向のクリアランスを、該スライダ（すなわち窓ガラス）の上死点近傍と下死点近傍の少なくとも一方において小さくし、中間部分で大きく設定したことを特徴としている。
具体的には、ガイドレールのスライダガイド部の車幅方向の厚さをスライダの上死点近傍と下死点近傍の少なくとも一方において小さくし、中間部分で大きく設定し、スライダガイド部に係合するスライダの係合凹部の幅は一定としている。
【００１０】
スライダ（窓ガラス）の上死点近傍では、窓ガラス上縁がドアフレームのガラスラン内へ確実に進入するように、ガイドレールとスライダによる車幅方向の位置規制を厳しくすることが好ましい。また、スライダ（窓ガラス）の下死点近傍では、窓ガラスのドアフレームによる位置規制が無くなるため、ガイドレールとスライダによる車幅方向の位置規制を厳しくすることが好ましい。ガイドレールとスライダによる車幅方向の位置規制を、上死点近傍と下死点近傍のいずれで行うか、あるいは双方で行うかは、車種による窓ガラスのガイド実体に応じて定めることができる。
【００１１】
クリアランスが小さい部分と大きい部分の間には、クリアランス徐変部を介在させることが好ましい。
【００１２】
また、スライダのガイドレールのスライダガイド部との摺動面は、上下端部の該スライダガイド部とのクリアランスが中央部の同クリアランスより大きい中高形状とするのがよい。
【００１３】
好ましい態様では、ガイドレールのスライダガイド部とスライダの車幅方向のクリアランスは、該スライダの上死点近傍と下死点近傍の双方において小さくし、中間部分で大きく設定する。
【００１４】
本発明のガイドレールは、スライダガイド部が不等幅であるので、樹脂材料の成形品から構成することが好ましい。
【００１５】
スライダを昇降させるワイヤ式ウィンドレギュレータは、ガイドレールが１本でその下端部にワイヤ駆動機構を有する下端ドライブタイプ、ガイドレールが２本で中間部にワイヤ駆動機構を有するクロスワイヤタイプのいずれも使用できる。
【００１６】
本発明の車両の窓ガラス昇降装置は、フロントドア、リヤドア、バックドアを問わずに適用することができる。
【発明の効果】
【００１７】
本発明の車両の窓ガラス昇降装置は、ドアサッシュに案内された窓ガラスに結合されるスライダと、このスライダと互いに係合関係にあるガイドレールのスライダガイド部の車幅方向のクリアランスを、該スライダ（すなわち窓ガラス）の上死点近傍と下死点近傍の少なくとも一方において小さくし、中間部分で大きく設定したので、窓ガラスの摺動抵抗を減らすことができ、また曲率の異なる窓ガラスを用いる複数の車種について、ガイドレールとスライダ（ワイヤ式ウィンドレギュレータ）の共用化を図ることが可能となる。
【図面の簡単な説明】
【００１８】
【図１】本発明による車両の窓ガラス昇降装置の一実施形態を示す側面図である。
【図２】図１の車両の窓ガラス昇降装置からワイヤ式ウィンドレギュレータを取り出して描いた斜視図である。
【図３】図２のIII-III線に沿う断面図である。
【図４】スライダ単体の形状例を示す斜視図である。
【発明を実施するための形態】
【００１９】
図１は、窓ガラスＧ及びこの窓ガラスＧを昇降駆動する下端ドライブタイプのワイヤ式ウィンドレギュレータ１０を備えた車両リヤドア２０を示している。車両リヤドア２０は、ドアサッシュ２１と、ドアパネル２２を有しており、ドアフレーム２１は、立柱サッシュ２３、アッパサッシュ２４及びディビジョンバー２５を有している。立柱サッシュ２３、アッパサッシュ２４及びディビジョンバー２５は窓開口２６を形成し、この窓開口内を窓ガラスＧが昇降する。立柱サッシュ２３、アッパサッシュ２４及びディビジョンバー２５にはその内面凹部に沿って周知のガラスラン（図示せず）が添着されており、窓ガラスＧの前後縁は、この立柱サッシュ２３とディビジョンバー２５及びこれらの内部に配置されたガラスランによって昇降軌跡が規定されている。窓ガラスＧは、その上死点（上昇端）近傍において、その上縁がアッパサッシュ２４内のガラスラン内に進入する。
【００２０】
ワイヤ式ウィンドレギュレータ１０は、ドアパネル２２内に支持されたもので、上下方向に向けたガイドレール１１のスライダガイド部１１Ｓにスライダ（ガラスブラケット）１２を摺動自在に係合させている。窓ガラスＧはこのスライダ１２に固定されている。ガイドレール１１の上端部にはプーリ（ワイヤ偏向部材、ワイヤガイド部材）１３が回転自在に支持されており、下端部には、駆動ブラケット１４が固定されている。駆動ブラケット１４には、巻上ドラム１５と、この巻上ドラム１５を正逆に回転駆動するモータユニット１６が支持されており、巻上ドラム１５に巻回された駆動ワイヤ１８は、その一端部がガイドレール１１に沿って上方に導かれた後プーリ１３で折り返されてスライダ１２に固定され、他端部がガイドレール１１に沿って上方に導かれ直接スライダ１２に固定されている。従って、モータユニット１６を介して巻上ドラム１５を正逆に駆動すると、スライダ１２（窓ガラスＧ）がガイドレール１１に沿って昇降する。このタイプのワイヤ式ウィンドレギュレータは、駆動機構がガイドレール１１の下端部に位置することから、一般に下端ドライブタイプと呼ばれ、小型でユニット性が高いという特徴がある。
【００２１】
ガイドレール１１は、樹脂材料の成形品からなっており、図２、図３に示すように、その前後方向の一側縁（図示例では後方側縁）に、車幅方向の内外を一対のガイド面１１ａ、１１ｂとするスライダガイド部１１Ｓが形成されている。一方、スライダ１２は、このスライダガイド部１１Ｓのガイド面１１ａと１１ｂに対向する摺動面１２ａと１２ｂを有するコ字状ガイド部１２Ｓを有している。
【００２２】
ガイドレール１１のスライダガイド部１１Ｓは、図３に示すように、スライダ１２（窓ガラスＧ）の上死点と下死点（下降端）近傍においては、その車幅方向の厚さＤ１、Ｄ２が大きい（ガイド面１１ａと１１ｂの間隔が広い）幅厚ガイド部１１Ｓ１、１１Ｓ２を構成し、中間部分においては同厚さｄが小さい（ガイド面１１ａと１１ｂの間隔が狭い）幅薄ガイド部１１Ｓ３を構成している。上下の幅厚ガイド部１１Ｓ１、１１Ｓ２と中間の幅薄ガイド部１１Ｓ３との間は、厚さを滑らかに変化させる厚さ徐変部（クリアランス徐変部）１１Ｓ４、１１Ｓ５を構成する。これに対し、スライダ１２のコ字状ガイド部１２Ｓは内面摺動面１２ａ、１２ｂを円筒面の一部としたコ字状をしており、摺動面１２ａと１２ｂの間隔Ｓは一定である。摺動面１２ａは、上下端部の該スライダガイド部１１Ｓとのクリアランスが中央部の同クリアランスより大きい滑らかな中高形状をなしている。図４はスライダＳの単体形状を示している。
【００２３】
以上の車両の窓ガラス昇降装置の昇降基本動作は、従来と同じである。すなわち、モータユニット１６を介して巻上ドラム１５を正逆に駆動すると、スライダ１２（窓ガラスＧ）がガイドレール１１に沿って昇降する。この昇降に際し、ガイドレール１１のスライダガイド部１１Ｓは、スライダ１２（窓ガラスＧ）の上死点と下死点近傍において、その車幅方向の厚さＤ１、Ｄ２が大きい（ガイド面１１ａと１１ｂの間隔が広い）幅厚ガイド部１１Ｓ１、１１Ｓ２をなし、中間部分において同厚さｄが小さい（ガイド面１１ａと１１ｂの間隔が狭い）幅薄ガイド部１１Ｓ３をなしている（すなわち、クリアランス（Ｓ-ｄ）＞クリアランス（Ｓ-Ｄ１）、クリアランス（Ｓ-ｄ）＞クリアランス（Ｓ-Ｄ２）である）ため、中間部分におけるスライダ１２の摺動抵抗が小さい。また、中間部分における窓ガラスＧのガイド機能は低いため、異なる曲率の窓ガラスＧに対して、同一のワイヤ式ウィンドレギュレータ１０を使用できる可能性が高まる。厚さＤ１とＤ２は、異ならせても同一でもよい。
【００２４】
一方、スライダガイド部１１Ｓの車幅方向の厚さが中間部分では薄いため、スライダ１２（つまり窓ガラスＧ）は、車幅方向への移動可能距離（遊び）が大きくなる。しかし、窓ガラスＧは、ガイドレール１１の中間部分では、ドアサッシュ２１の立柱サッシュ２３とディビジョンバー２５（のガラスラン）によって昇降軌跡が規定されているため、この中間部分でのスライダ１２の車幅方向の遊びが問題になることはない。そして窓ガラスＧの上死点近傍においては、スライダ１２はスライダガイド部１１Ｓの幅厚ガイド部１１Ｓ１と係合して車幅方向の遊びが小さくなるので、窓ガラスＧの上縁をアッパサッシュ２４内のガラスラン内に正しく進入させることができる。同様に、立柱サッシュ２３とディビジョンバー２５（のガラスラン）による移動規制が十分でなくなるスライダ１２（窓ガラスＧ）の下死点近傍では、スライダ１２はスライダガイド部１１Ｓの幅厚ガイド部１１Ｓ２と係合して車幅方向の遊びが小さくなるので、安定した状態で、窓ガラスＧを保持することができる。
【００２５】
ガイドレール１１とスライダ１２の具体的形態は種々知られているが、本発明は、ガイドレール１１とスライダ１２の内外のガイド面１１ａと１１ｂ及び摺動面１２ａと１２ｂの関係を問題としており、この他の部分の形状には自由度がある。
【００２６】
また、以上の実施形態は、窓ガラスＧの前後縁部をドアフレーム２１によりガイドするリヤドア２０に本発明を適用したものであるが、一般的に窓ガラスの後縁部のみをドアフレームでガイドするフロントドア、あるいは昇降窓ガラスを有するバックドアにも本発明は適用できる。
【００２７】
上述のように、ワイヤ式ウィンドレギュレータには、前後にガイドレールを有し、それぞれのガイドレールに窓ガラスに結合されたスライダを摺動自在に係合させ、この一対のスライダをクロスワイヤ式駆動機構で昇降駆動するタイプも知られている。本発明は、このタイプにも適用可能である。
【符号の説明】
【００２８】
１０  ワイヤ式ウィンドレギュレータ（下端ドライブタイプ）
１１  ガイドレール
１１Ｓ  スライダガイド部
１１Ｓ１  １１Ｓ２  幅厚ガイド部
１１Ｓ３  幅薄ガイド部
１１Ｓ４  １１Ｓ５  厚さ徐変部（クリアランス徐変部）
１１Ｓ４  １１Ｓ５ １１ａ  １１ｂ  ガイド面
１２  スライダ
１２Ｓ  コ字状ガイド部
１２ａ  １２ｂ  摺動面
１３  プーリ
１４  駆動ブラケット
１５  巻上ドラム
１６  モータユニット
１８  駆動ワイヤ
２０  車両リヤドア
２１  ドアサッシュ
２２  ドアパネル
２３  立柱サッシュ
２４  アッパサッシュ
２５  ディビジョンバー
２６  窓開口
Ｇ  窓ガラス
【図１】
0005701617.tif 000002
【図２】
0005701617.tif 000003
【図３】
0005701617.tif 000004
【図４】
0005701617.tif 000005